(57)【要約】【課題】  光ファイバを用いた光配線をプラグ本体に固定する際に、当該光配線を捩じれが加わらないように固定可能な固定手段を備えた光モジュールの提供を可能とすることを目的とする。【解決手段】  本体部１８と、本体部１８に設けられた基板１９と、少なくとも光ファイバを有し、基板１９に接続される光配線２０と、本体部１８に設けられ、基板１９から延びた光配線２０を挟持するための挟持部１２と、を有し、挟持部１２は、第１挟持片１３と、第１挟持片１３の端部が挿入される挿入口１６が形成された第２挟持片１４と、からなり、挿入口１６に第１挟持片１３の先端部を挿入して、第１挟持片１３及び第２挟持片１４を締結することにより、第１挟持片１３及び第２挟持片１４が光配線２０を両側から対称な力で挟持することを特徴とする光モジュール１１。【選択図】図１
2011128174.tif 000002
【特許請求の範囲】
【請求項１】
本体部と、
前記本体部に設けられた基板と、
少なくとも光ファイバを有し、前記基板に接続される光配線と、
前記本体部に設けられ、前記基板から延びた前記光配線を挟持するための挟持部と、
を有し、
前記挟持部は、
第１挟持片と、
前記第１挟持片の端部が挿入される挿入口が形成された第２挟持片と、
からなり、
前記挿入口に前記第１挟持片の先端部を挿入して、前記第１挟持片及び前記第２挟持片を締結することにより、前記第１挟持片及び前記第２挟持片が前記光配線を両側から略対称な力で挟持することを特徴とする光モジュール。
【請求項２】
前記第１挟持片は、
基端側であって、前記挿入口の幅よりも広い幅広部と、
端部側であって、前記挿入口の幅よりも狭い幅狭部と、
からなり、
前記挿入口に前記幅狭部の先端部を挿入して、前記幅狭部の先端部を幅広部側に折り曲げて前記第１挟持片及び前記第２挟持片を締結することにより、前記第１挟持片及び前記第２挟持片が前記光配線を両側から略対称な力で挟持することを特徴とする請求項１記載の光モジュール。
【請求項３】
本体部と、
前記本体部に設けられた基板と、
少なくとも光ファイバを有し、前記基板に接続される光配線と、
前記本体部に設けられ、前記基板から延びた前記光配線を挟持するための挟持部と、
を有し、
前記挟持部は
第１挟持片と、
第２挟持片と、
からなり、
前記第１挟持片の端部と前記第２挟持片の端部を互いに略対称に交差して捩ることによって第１挟持片及び前記第２挟持片を締結することにより、前記第１挟持片及び前記第２挟持片が前記光配線を両側から略対称な力で挟持することを特徴とする光モジュール。
【請求項４】
前記第１挟持片及び前記第２挟持片は、
基端側に形成される幅広部と、
端部側であって、前記幅広部より幅が狭い幅狭部と、
からなり、
前記第１挟持片の前記幅狭部と前記第２挟持片の前記幅狭部を互いに略対称に交差して、第１挟持片及び前記第２挟持片を締結することにより、前記第１挟持片及び前記第２挟持片が前記光配線を両側から略対称な力で挟持することを特徴とする請求項３記載の光モジュール。
【請求項５】
前記挟持部は、ステンレス鋼からなることを特徴とする請求項１乃至４記載の光モジュール。
【発明の詳細な説明】
【技術分野】
【０００１】
本発明は、光ファイバを含む光配線と機器とを接続するコネクタ等の光モジュールに関し、特にコネクタのオス側端子であるプラグの本体部に光配線を固定する固定手段に特徴のある光モジュールに関する。
【背景技術】
【０００２】
近年、通信速度の高速化及び通信容量の増大に伴い、電気機器等の機器間配線において光ファイバを含む光電気複合配線等の光配線が用いられている。機器間配線には、電気機器等と配線との着脱を容易にする為にしばしばコネクタが用いられる。このコネクタのオス側端子であるプラグは、本体部上に設けられた基板に配線を接続し、本体部に配線の基板に接続した側の端部を固定するために本体部及び該端部を樹脂モールドにより一体成型したものである。しかし、前記端部及び本体部における樹脂モールド成型のみの固定では強度が弱く、本体部から配線が外れやすい。そのため、本体部及び配線の固定を強化するために、本体部には配線固定用の固定手段を設ける必要があった（例えば、特許文献１及び特許文献２）。
【先行技術文献】
【特許文献】
【０００３】
【特許文献１】特開平９−７０１２３号公報
【特許文献２】特開平９−２５０６６１号公報
【発明の開示】
【発明が解決しようとする課題】
【０００４】
しかしながら、特許文献１及び特許文献２に開示されている配線固定用の固定手段は、配線を固定する際に該配線に外周方向の力が働き、該配線には該配線の所定の中心線に対して線対称でない力が加わってしまうため、該配線には捩じれが加わってしまう。そのため、上記の固定手段を光ファイバを用いた光配線に使用する場合、光ファイバはせん断力に弱いため、断線や光伝送ロス増加を招くという問題があった。
【０００５】
本発明は、上記事情を鑑み成されたものであり、光ファイバを用いた光配線を本体部に固定する際に、当該光配線を捩じれが加わらないように固定可能な固定手段を備えた光モジュールの提供を可能とすることを目的とする。
【課題を解決するための手段】
【０００６】
本発明は、上記事情を鑑み成されたものであり、本体部と、前記本体部に設けられた基板と、少なくとも光ファイバを有し、前記基板に接続される光配線と、前記本体部に設けられ、前記基板から延びた前記光配線を挟持するための挟持部と、を有し、前記挟持部は、第１挟持片と、前記第１挟持片の端部が挿入される挿入口が形成された第２挟持片と、からなり、前記挿入口に前記第１挟持片の先端部を挿入して、前記第１挟持片及び前記第２挟持片を締結することにより、前記第１挟持片及び前記第２挟持片が前記光配線を両側から略対称な力で挟持することを特徴とする光モジュールを提供するものである。
【０００７】
前記第１挟持片は、基端側であって、前記挿入口の幅よりも広い幅広部と、端部側であって、前記挿入口の幅よりも狭い幅狭部と、からなり、前記挿入口に前記幅狭部の先端部を挿入して、前記幅狭部の先端部を幅広部側に折り曲げて前記第１挟持片及び前記第２挟持片を締結することにより、前記第１挟持片及び前記第２挟持片が前記光配線を両側から略対称な力で挟持することとしても良い。
【０００８】
また、本発明は、本体部と、前記本体部に設けられた基板と、少なくとも光ファイバを有し、前記基板に接続される光配線と、前記本体部に設けられ、前記基板から延びた前記光配線を挟持するための挟持部と、を有し、前記挟持部は、第１挟持片と、第２挟持片と、からなり、前記第１挟持片の端部と前記第２挟持片の端部を互いに略対称に交差して捩ることによって第１挟持片及び前記第２挟持片を締結することにより、前記第１挟持片及び前記第２挟持片が前記光配線を両側から略対称な力で挟持することを特徴とする光モジュールを提供するものである。
【０００９】
前記第１挟持片及び前記第２挟持片は、基端側に形成される幅広部と、端部側であって、前記幅広部より幅が狭い幅狭部と、からなり、前記第１挟持片の前記幅狭部と前記第２挟持片の前記幅狭部を互いに略対称に交差して、第１挟持片及び前記第２挟持片を締結することにより、前記第１挟持片及び前記第２挟持片が前記光配線を両側から略対称な力で挟持することしても良い。
【００１０】
前記挟持部は、ステンレス鋼からなることが好ましい。
【発明の効果】
【００１１】
本発明によれば、光ファイバを用いた光配線を本体部に固定する際に、当該光配線を捩じれが加わらないように固定可能な固定手段を備えた光モジュールの提供が可能となる。
【図面の簡単な説明】
【００１２】
【図１】本発明の好適な実施形態に係る光モジュール１１の斜視図及び挟持部１２の拡大図。
【図２】本発明の好適な実施形態に係る光モジュール１１の挟持部１２を締結する前の横断面図。
【図３】本発明の好適な実施形態に係る光モジュール１１の挟持部１２を締結した後の横断面図。
【図４】本発明の好適な変形形態に係る光モジュールの本体部２８の斜視図及び挟持部２２の拡大図。
【図５】本発明の好適な変形形態に係る光モジュールの挟持部２２を締結する際の動作を説明する説明図。
【発明を実施するための形態】
【００１３】
以下、本発明の好適な実施形態に関し、添付図に従って説明する。
【００１４】
本発明の好適な実施形態に係る光モジュール１１の構成に関し、図１及び図２を用いて説明する。
【００１５】
図１は、本発明の好適な実施形態に係る光モジュール１１の斜視図及び挟持部１２の拡大図である。図２は、本発明の好適な実施形態に係る光モジュール１１の挟持部１２を締結する前の横断面図である。
【００１６】
本発明の好適な実施形態に係る光モジュール１１は、光ファイバを用いた光配線２０を本体部１８に固定するのに好適な挟持部１２を備えた光モジュール１１であって、図１及び図２に図示するように、本体部１８と、本体部１８に設けられた基板１９と、少なくとも光ファイバを有し、基板１９に接続される光配線２０と、本体部１８に設けられ、基板１９から延びた光配線２０を挟持するための挟持部１２と、を有し、挟持部１２は、第１挟持片１３と、第１挟持片１３の端部が挿入される挿入口１６が形成された第２挟持片１４と、からなり、挿入口１６に第１挟持片１３の先端部を挿入して、第１挟持片１３及び第２挟持片１４を締結することにより、第１挟持片１３及び第２挟持片１４が光配線２０を両側から略対称な力で挟持することを特徴とする光モジュール１１である。
【００１７】
本実施形態においては、第１挟持片１３は、基端側であって、挿入口１６の幅よりも広い幅広部１３ｂと、端部側であって、挿入口１６の幅よりも狭い幅狭部１３ａと、からなり、挿入口１６に幅狭部１３ａの先端部を挿入して、幅狭部１３ａの先端部を幅広部１３ｂ側に折り曲げて第１挟持片１３及び第２挟持片１４を締結することにより、第１挟持片１３及び第２挟持片１４が光配線２０を両側から略対称な力で挟持することとした。
【００１８】
詳細を以下に説明する。
【００１９】
本実施形態に係る光モジュール１１は、光配線固定用の固定手段に特徴を持たせたものである。該固定手段は、挟持部１２により光配線２０を挟持することにより本体部１８に固定するものである。
【００２０】
挟持部１２は、第１挟持片１３及び第２挟持片１４を備えており、材質としてはステンレス鋼が好ましい。
【００２１】
第１挟持片１３は、本実施形態において、基端側であって、挿入口１６の幅よりも広い幅広部１３ｂと、端部側であって、挿入口１６の幅よりも狭い幅狭部１３ａと、からなっている。
【００２２】
第２挟持片１４は、幅狭部１３ａが挿入される挿入口１６が形成されている。
挿入口１６に幅狭部１３ａを挿入することにより、光配線２０が挿通されて光配線２０を本体部１８上の基板１９へ導くための挿通孔１７が形成される。光配線２０は挿通孔１７から挿通し、所定の距離をもって離された基板１９に接続される。
【００２３】
第１挟持片１３及び第２挟持片１４は、後に締結される際、折り曲げられることから、ステンレス鋼など外力に対して変形しやすい金属からなることが好ましい。
【００２４】
次に、本実施形態に係る光モジュール１１の挟持部１２が光配線２０を本体部１８に固定する動作について、図３を用いて説明する。
【００２５】
初め、図２に図示するように、挿入口１６に幅狭部１３ａが挿入され、幅狭部１３ａの先端部が挿入口１６から突出している。挿入口１６に挿入され、挿入口１６から突出している幅狭部１３ａの先端部を、挿入口１６へ挿入した方向と同じ方向（図３において、左上方）へ引く。ある程度幅狭部１３ａの先端部を引くと、幅狭部１３ａと幅広部１３ｂが形成する段差部１３ｃ（図１の点線円内）が、第２挟持片１４の挿入口１６を形成する両脇部分に引っかかる。その後、図３に図示するように、挿入口１６から出た幅狭部１３ａを、幅広部１３ｂ側に折り曲げることにより、第１挟持片１３及び第２挟持片１４を締結する。このとき、第１挟持片１３及び第２挟持片１４が光配線２０を両側から略対称の力で挟持可能となるように設計した。第１挟持片１３及び第２挟持片１４は、締結されることによって光配線２０を両側から対象の力で挟持し、且つ光配線２０が挟持部１２から外れるのを防止している。
【００２６】
本実施形態のように、第１挟持片に幅狭部１３ａと幅広部１３ｂを設けて段差部１３ｃを形成し、この段差部３１ｃが挿入口１６に引っかかるようにしたことにより、光配線２０の締め過ぎを防止しつつ挟持できるようにした。このとき、幅狭部１３ａの長さは、光配線２０を固定するために十分な力を得るために必要な引く長さに設計する。
【００２７】
以上により、光ファイバを用いた光配線２０を本体部１８に固定する際に、光配線２０を捩じれが加わらないように固定可能な固定手段を備えた光モジュール１１の提供が可能となる。
【００２８】
次に、本発明の好適な変形形態に係る光モジュールの本体部２８に関し、図４及び図５を用いて説明する。
【００２９】
図４は、本発明の好適な変形形態に係る光モジュールの本体部２８の斜視図及び挟持部２２の拡大図である。図５は、本発明の好適な変形形態に係る光モジュールの本体部２８の挟持部２２を締結する際の動作を説明する説明図である。
【００３０】
本発明の好適な変形形態に係る光モジュールの構成は、本体部２８と、本体部２８に設けられた基板（図示しない）と、少なくとも光ファイバを有し、前記基板に接続される光配線２０（図４においては図示しない）と、本体部２８に設けられ、前記基板から延びた光配線２０を挟持するための挟持部２２と、を有し、挟持部２２は第１挟持片２２ａと、第２挟持片２２ｂと、からなり、第１挟持片２２ａの端部と第２挟持片２２ｂの端部を互いに略対称に交差して捩ることによって第１挟持片２２ａ及び第２挟持片２２ｂを締結することにより、第１挟持片２２ａ及び第２挟持片２２ｂが光配線２０を両側から対称な力で挟持することを特徴とする光モジュールである。
【００３１】
詳しくは、第１挟持片２２ａ及び第２挟持片２２ｂは、基端側に形成される幅広部２２Ｂ及び２２Ｂ´と、端部側であって、幅広部２２Ｂ及び２２Ｂ´より幅が狭い幅狭部２２Ａ及び２２Ａ´と、からなり、第１挟持片２２ａの幅狭部２２Ａと第２挟持片２２ｂの幅狭部２２Ａ´を互いに略対称に交差して捩ることによって第１挟持片２２ａ及び第２挟持片２２ｂを締結することにより、第１挟持片２２ａ及び第２挟持片２２ｂが光配線２０を両側から略対称な力で挟持することとした。
【００３２】
本変形形態においては、幅広部２２Ａ及び２２Ａ´と幅広部２２Ｂ及び２２Ｂ´が形成する第１挟持片２２ａ及び第２挟持片２２ｂの形状をＬ字状形状とした。
【００３３】
第１挟持片２２ａは、基端側が幅広部２２Ｂとなっており、端部側が幅狭部２２Ａとなっている。
【００３４】
挟持部２２の材質としては、ステンレス鋼が好ましい。
【００３５】
第２挟持片２２ｂは、基端側が幅広部２２Ｂ´となっており、端部側が幅狭部２２Ａ´となっている。
【００３６】
第１挟持部２２ａ及び第２挟持部２２ｂは、挿通される光配線２０の中心軸を通る所定の中心線を中心に略対称に設計される。
【００３７】
次に、本実施形態に係る光モジュールの挟持部２２が光配線２０を本体部２８に固定する動作について説明する。まず、図５に図示するように、第１挟持片２２ａ及び第２挟持片２２ｂが形成する挿通孔２７に、光配線２０を挿通する。その後、光モジュール２１の挟持部２２の光配線２０を本体部２８に固定する動作は、図５に図示するように矢印方向に、幅狭部２２Ａと２２Ａ´を捩ることにより、第１挟持片２２ａ及び第２挟持片２２ｂを締結する。このようにすることで、挟持部２２が光配線２０を略対称の力で挟持するものである。
【００３８】
以上のように、本変形形態によっても、光ファイバを用いた光配線をプラグ用板金に固定する際において、当該光配線に捩じれが加わらないように固定可能な固定器具の提供が可能となる。
【符号の説明】
【００３９】
１１  光モジュール
１２、２２  挟持部
１３  第１挟持片
１３ａ  幅狭部
１３ｂ  幅広部
１３ｃ  段差部
１４  第２挟持片
１６  挿入口
１７、２７  挿通孔
１８、２８  本体部
１９  基板
２０  光配線
２２ａ  第１挟持片
２２ｂ  第２挟持片
２２Ａ  幅狭部（第１挟持片）
２２Ｂ  幅広部（第１挟持片）
２２Ａ´  幅狭部（第２挟持片）
２２Ｂ´  幅広部（第２挟持片）
【図１】
2011128174.tif 000003
【図２】
2011128174.tif 000004
【図３】
2011128174.tif 000005
【図４】
2011128174.tif 000006
【図５】
2011128174.tif 000007